【手続補正書】
【提出日】平成25年5月21日(2013.5.21)
【手続補正１】
【補正対象書類名】特許請求の範囲
【補正対象項目名】全文
【補正方法】変更
【補正の内容】
【特許請求の範囲】
【請求項１】
電源コントローラであって、
電源のＤＣ入力電圧を表わす入力電圧検出信号を受けるように結合される第１の入力と、
電源のＤＣ出力電圧を表わす出力電圧検出信号を受けるように結合される第２の入力と、
電源の入力電流を表わす入力電流検出信号を受けるように結合される第３の入力と、
遅延ランプ信号を生成するように結合された遅延ランプ発生器と、
前記入力電流検出信号の積分および前記入力電圧検出信号と前記出力電圧検出信号の比に応じた入力充電制御信号を生成するように結合された入力充電制御信号発生器と、
前記遅延ランプ信号および前記入力充電制御信号を受けるように、かつ電源の出力を調整するように結合された駆動信号発生器とを備え、前記駆動信号発生器は、前記入力充電制御信号および前記遅延ランプ信号に応答して駆動信号を発生させ、前記駆動信号は、電源のスイッチを制御するように結合される、電源コントローラ。
【請求項２】
前記入力充電制御信号発生器は、前記入力電流検出信号を積分して、入力充電信号を発生させるように結合された積分器をさらに含む、請求項１に記載の電源コントローラ。
【請求項３】
前記入力充電制御信号発生器は、前記入力電圧検出信号、前記出力電圧検出信号および前記入力充電信号を乗算、除算またはスケーリングして、前記入力充電制御信号を生成するように結合された算術演算子回路をさらに含む、請求項２に記載の電源コントローラ。
【請求項４】
前記入力充電制御信号発生器は、前記入力電圧検出信号、前記出力電圧検出信号および前記入力電流検出信号を乗算、除算またはスケーリングして、前記入力電圧検出信号と前記出力電圧検出信号の比で乗算された前記入力電流検出信号に応答するスケーリングされた電流信号を発生させるように結合された算術演算子回路をさらに含む、請求項１に記載の電源コントローラ。
【請求項５】
前記入力充電制御信号発生器は、前記スケーリングされた電力信号を積分して、前記入力充電制御信号を生成するように結合された積分器をさらに含む、請求項４に記載の電源コントローラ。
【請求項６】
電源コントローラであって、
電源のＤＣ入力電圧を表わす入力電圧検出信号を受けるように結合される第１の入力と、
電源のＤＣ出力電圧を表わす出力電圧検出信号を受けるように結合される第２の入力と、
電源の入力電流を表わす入力電流検出信号を受けるように結合される第３の入力と、
遅延ランプ信号を生成するように結合された遅延ランプ発生器と、
前記入力電流検出信号を積分して、入力充電信号を生成するように結合された積分器と、
前記入力充電信号および前記入力電圧検出信号と前記出力電圧検出信号の比に応じた入力充電制御信号を生成するように結合された算術演算子回路と、
前記遅延ランプ信号および前記入力充電制御信号を受けるように、かつ電源の出力を調整するように結合された駆動信号発生器とを備え、前記駆動信号発生器は、前記入力充電制御信号および前記遅延ランプ信号に応答して駆動信号を発生させ、前記駆動信号は、電源のスイッチを制御するように結合される、電源コントローラ。
【請求項７】
電源コントローラであって、
電源のＤＣ入力電圧を表わす入力電圧検出信号を受けるように結合される第１の入力と、
電源のＤＣ出力電圧を表わす出力電圧検出信号を受けるように結合される第２の入力と、
電源の入力電流を表わす入力電流検出信号を受けるように結合される第３の入力と、
遅延ランプ信号を生成するように結合された遅延ランプ発生器と、
入力電流検出信号および前記入力電圧検出信号と前記出力電圧検出信号の比に応じたスケーリングされた電流信号を生成するように結合された算術演算子と、
前記スケーリングされた電流信号を積分して、入力充電制御信号を生成するように結合された積分器と、
前記遅延ランプ信号および前記入力充電制御信号を受けるように、かつ電源の出力を調整するように結合された駆動信号発生器とを備え、前記駆動信号発生器は、前記入力充電制御信号および前記遅延ランプ信号に応答して駆動信号を発生させ、前記駆動信号は、電源のスイッチを制御するように結合される、電源コントローラ。
【請求項８】
前記遅延ランプ信号は、複数の区分線形セグメントを含む、請求項１、６または７に記載の電源コントローラ。
【請求項９】
前記複数の区分線形セグメントは、実質的に傾きがゼロの第１のセグメントを含み、続いて傾きが有限で線形の第２のセグメントを含む、請求項８に記載の電源コントローラ。
【請求項１０】
クロック信号を生成するように結合された発振器をさらに備え、前記遅延ランプ信号は、前記クロック信号に応答して生成される、請求項１、６または７に記載の電源コントローラ。
【請求項１１】
前記スケーリングされた電流信号は、前記入力電流検出信号を前記入力電圧検出信号と前記出力電圧検出信号の比で乗算した積をさらにスケーリング因子で乗算した積である、請求項４または７に記載の電源コントローラ。
【請求項１２】
前記駆動信号発生器は、電源の前記スイッチを制御して、電源の出力電流を調整するように結合される前記駆動信号を発生させる、請求項１、６または７に記載の電源コントローラ。
【請求項１３】
前記スイッチおよび前記コントローラは、単一のモノリシック集積装置に組込まれている、請求項１、６または７に記載の電源コントローラ。
【請求項１４】
電源において力率補正および定電流出力を提供する方法であって、前記方法は、
遅延ランプ信号を生成することと、
入力電流を表わす入力電流検出信号を積分し、それに応答して入力充電信号を生成することと、
入力電圧検出信号と出力電圧検出信号との比を決定することと、
前記入力充電信号および前記入力電圧検出信号と前記出力電圧検出信号との比に応じた入力充電制御信号を生成することと、
前記入力充電制御信号を前記遅延ランプ信号と比較して、駆動信号を生成して電源のスイッチを制御することとを備える、方法。
【請求項１５】
電源において力率補正および定電流出力を提供する方法であって、前記方法は、
遅延ランプ信号を生成することと、
入力電圧検出信号と出力電圧検出信号との比を決定することと、
入力電流検出信号および前記入力電圧検出信号と前記出力電圧検出信号との比に応じたスケーリングされた電流信号を生成することと、
前記スケーリングされた電力信号を積分して、それに応答して入力充電制御信号を生成することと、
前記入力充電制御信号を前記遅延ランプ信号と比較して、駆動信号を生成して電源のスイッチを制御することとを備える、方法。
【請求項１６】
電源において力率補正および定電流出力を提供するためのコントローラであって、前記コントローラは、
遅延ランプ信号を生成するための手段と、
入力電流を表わす入力電流検出信号を積分し、それに応答して入力充電信号を生成するための手段と、
入力電圧検出信号と出力電圧検出信号との比を決定し、前記入力充電信号および前記入力電圧検出信号と前記出力電圧検出信号との比に応じた入力充電制御信号を生成するための手段と、
前記入力充電制御信号を前記遅延ランプ信号と比較して、駆動信号を生成して電源のスイッチを制御するための手段とを備える、コントローラ。
【請求項１７】
電源において力率補正および定電流出力を提供するためのコントローラであって、前記コントローラは、
遅延ランプ信号を生成するための手段と、
入力電圧検出信号と出力電圧検出信号との比を決定し、入力電流検出信号および前記入力電圧検出信号と前記出力電圧検出信号との比に応じたスケーリングされた電流信号を生成するための手段と、
前記スケーリングされた電力信号を積分して、それに応答して入力充電制御信号を生成するための手段と、
前記入力充電制御信号を前記遅延ランプ信号と比較して、駆動信号を生成して電源のスイッチを制御するための手段とを備える、コントローラ。
【請求項１８】
電源コントローラであって、
遅延ランプ信号を生成するように結合された遅延ランプ発生器と、
入力電流を表わす入力電流検出信号を積分するように、かつそれに応答して入力充電信号を生成するように結合された積分器とを備え、前記入力電流は、電源のスイッチのスイッチング周期である周期を備えた脈動波形を有し、さらに、
前記入力充電信号および入力電圧検出信号と出力電圧検出信号との比に応じた入力充電制御信号を生成するように結合された算術演算子回路を備え、前記入力電圧検出信号は電源の整流入力電圧を表わし、前記出力電圧検出信号は電源のＤＣ出力電圧を表わし、さらに、
前記遅延ランプ信号および前記入力充電制御信号を受けるように、かつそれに応答して駆動信号を発生させ、前記スイッチを制御して電源の出力を調整するように結合された駆動信号発生器を備える、電源コントローラ。
【請求項１９】
電源コントローラであって、
遅延ランプ信号を生成するように結合された遅延ランプ発生器と、
入力電流検出信号および入力電圧検出信号と出力電圧検出信号との比に応じたスケーリングされた電流信号を生成するように結合された算術演算子回路とを備え、前記入力電流検出信号は入力電流を表わし、前記入力電流は、電源のスイッチのスイッチング周期である周期を備えた脈動波形を有し、前記入力電圧検出信号は電源の整流入力電圧を表わし、前記出力電圧検出信号は電源のＤＣ出力電圧を表わし、さらに、
前記スケーリングされた電流信号を積分して、入力充電制御信号を生成するように結合された積分器と、
前記遅延ランプ信号および前記入力充電制御信号を受けるように、かつそれに応答して駆動信号を発生させ、前記スイッチを制御して電源の出力を調整するように結合された駆動信号発生器を備える、電源コントローラ。